(57)【特許請求の範囲】
【請求項１】
行方向及び列方向に配列される変換素子にベイヤー方式の色フィルタアレイを配置した撮像装置において、
前記ベイヤー方式の色フィルタアレイは、緑色の色フィルタが市松状に配置され、青色の色フィルタと赤色の色フィルタが残りの部分にそれぞれ市松状に配置されたものであり、
前記各変換素子の色信号電荷を飛び越し走査の１フィールド期間で読み出す読み出し手段と、
前記読み出し手段で読み出された色信号電荷をデジタルの色信号に変換する手段と、
前記変換する手段でデジタルに変換された色信号を格納するフレームメモリと、
前記フレームメモリに格納された色信号を、
飛び越し走査の奇数フィールドでは、
前記緑色の色フィルタに対応する緑色信号については、垂直方向２行分の市松状の緑色信号を水平方向１画素毎に交互に読み出し、
前記青色の色フィルタに対応する青色信号については、前記垂直方向２行分の市松状の青色信号と赤色信号のうちの青色信号を水平方向１画素毎に２回繰り返し読み出し、
前記赤色の色フィルタに対応する赤色信号については、前記垂直方向２行分の市松状の青色信号と赤色信号のうちの赤色信号を水平方向１画素毎に２回繰り返し読み出し、
前記奇数フィールドの次の偶数フィールドでは、
前記緑色の色フィルタに対応する緑色信号については、前記垂直方向２行分から１行だけずれた垂直方向２行分の市松状の緑色信号を水平方向１画素毎に交互に読み出し、
前記青色の色フィルタに対応する青色信号については、前記垂直方向２行分から１行だけずれた垂直方向２行分の市松状の青色信号と赤色信号のうちの青色信号を２回繰り返し読み出し、
前記赤色の色フィルタに対応する赤色信号については、前記垂直方向２行分から１行分だけずれた垂直方向２行分の市松状の青色信号と赤色信号のうちの赤色信号を水平方向１画素毎に２回繰り返し読み出し、
飛び越し走査のタイミングで出力する出力手段と、
を備えることを特徴とする撮像装置。
【請求項２】
請求項１に記載の撮像装置において、
前記出力手段は、色信号を左右または上下またはその両方に位置する画素について平均化処理または補間処理して出力することを特徴とする撮像装置。
【請求項３】
請求項１または２に記載の撮像装置において、
前記出力手段は、前記赤色信号をＲ、前記緑色信号をＧ、前記青色信号をＢとしたとき、輝度信号ＹをＹ＝Ｒ＋２Ｇ＋Ｂに従って合成すると共に、水平方向に隣接する２つの画素の輝度信号は、青色信号については同じ青色の色フィルタに対応する青色信号を使用し、赤色信号については同じ赤色の色フィルタに対応する赤色信号を使用し、緑色信号については異なる緑色の色フィルタに対応する緑色信号を使用することを特徴とする撮像装置。
【請求項４】
行方向及び列方向に配列される変換素子にベイヤー方式の色フィルタアレイを配置した撮像装置を有するテレビカメラにおいて、
前記ベイヤー方式の色フィルタアレイは、緑色の色フィルタが市松状に配置され、青色の色フィルタと赤色の色フィルタが残りの部分にそれぞれ市松状に配置されたものであり、
前記撮像装置は、
前記各変換素子の色信号電荷を飛び越し走査の１フィールド期間で読み出す読み出し手段と、
前記読み出し手段で読み出された色信号電荷をデジタルの色信号に変換する手段と、
前記変換する手段でデジタルに変換された色信号を格納するフレームメモリと、
前記フレームメモリに格納された色信号を、
飛び越し走査の奇数フィールドでは、
前記緑色の色フィルタに対応する緑色信号については、垂直方向２行分の市松状の緑色信号を水平方向１画素毎に交互に読み出し、
前記青色の色フィルタに対応する青色信号については、前記垂直方向２行分の市松状の青色信号と赤色信号のうちの青色信号を水平方向１画素毎に２回繰り返し読み出し、
前記赤色の色フィルタに対応する赤色信号については、前記垂直方向２行分の市松状の青色信号と赤色信号のうちの赤色信号を水平方向１画素毎に２回繰り返し読み出し、
前記奇数フィールドの次の偶数フィールドでは、
前記緑色の色フィルタに対応する緑色信号については、前記垂直方向２行分から１行だけずれた垂直方向２行分の市松状の緑色信号を水平方向１画素毎に交互に読み出し、
前記青色の色フィルタに対応する青色信号については、前記垂直方向２行分から１行だけずれた垂直方向２行分の市松状の青色信号と赤色信号のうちの青色信号を２回繰り返し読み出し、
前記赤色の色フィルタに対応する赤色信号については、前記垂直方向２行分から１行分だけずれた垂直方向２行分の市松状の青色信号と赤色信号のうちの赤色信号を水平方向１画素毎に２回繰り返し読み出し、
飛び越し走査のタイミングで出力する出力手段と、
を備える
ことを特徴とするテレビカメラ。
【発明の詳細な説明】
【０００１】
【発明の属する技術分野】
本発明は、撮像装置及びそれを用いたテレビカメラに関し、特に、ベイヤー方式の色フィルタアレイを用いる単板式カラー撮像素子に適用して有効な技術に関するものである。
【０００２】
【従来の技術】
従来の技術として、インターレース走査を行うＣＣＤ一個から色信号（画素データ）を得る単板式カラー撮像方式には、色フィルタアレイを用いるものとして色差線順次方式がある。これは色信号が色差信号の形で線順次に得られる方式である。
【０００３】
図８にその例を示す。２列４行を基本単位とし、この繰り返しで形成された色フィルタアレイを用いる。
まず、奇数フィールドでは垂直方向奇数番目の画素と偶数番目の画素とを加算して読み出す。次の偶数フィールドでは組み合わせ方法を変えて、偶数番目の画素と奇数番目の画素とを加算する。すると、奇数番目の走査線からはＹｅ＋Ｇ，Ｃｙ＋Ｍｇ，Ｙｅ＋Ｇ，Ｃｙ＋Ｍｇ，・・・の信号が、偶数番目の走査線からはＹｅ＋Ｍｇ，Ｃｙ＋Ｇ，Ｙｅ＋Ｍｇ，Ｃｙ＋Ｇ，・・・の信号が得られる。
【０００４】
このとき、Ｍｇ＝Ｒ＋Ｂ，Ｃｙ＝Ｂ＋Ｇ，Ｙｅ＝Ｒ＋Ｇであるため、Ｙｅ＋Ｇ＋Ｃｙ＋Ｍｇ＝２Ｒ＋３Ｇ＋２Ｂとなり、水平方向に２画素を加算することにより輝度信号を得ることができる。
【０００５】
また、水平方向の２画素の差分をとることにより、奇数番目の走査線からは（Ｃｙ＋Ｍｇ）−（Ｙｅ＋Ｇ）＝２Ｂ−Ｇ
偶数番目の走査線からは（Ｙｅ＋Ｍｇ）−（Ｃｙ＋Ｇ）＝２Ｒ−Ｇとなり、色差信号を得ることができる。
【０００６】
色フィルタアレイを用いる他の単板式カラー撮像方式に、ＲＧＢ縦ストライプ方式がある。これはＲＧＢの色フィルタを垂直方向に配列し、色信号が原色信号の形で点順次に得られる方式である。
【０００７】
色フィルタアレイを用いる他の単板式カラー撮像方式に、ベイヤー方式がある。これは高解像度が必要な輝度信号の主成分であるＧを市松状に配列、残りの部分に比較的解像度が低くてよい２つの色成分Ｒ，Ｂを市松状に配列したものである。
【０００８】
【発明が解決しようとする課題】
本発明者は、前記従来技術を検討した結果、以下の問題点を見いだした。
従来の色差線順次方式は、輝度信号の解像度が高くできる特徴を持つが、色差信号は解像度を高くすることができず、また色分離を行うため演算が必要であり、色フィルタの特性が異なったり高輝度部で信号が飽和した場合など、色再現が劣る欠点があった。
【０００９】
また、ＲＧＢ縦ストライプ方式は、回路構成がシンプルで色再現性に優れる特徴を持つが、輝度信号の水平解像度は色差順次方式の２／３と低くなる欠点があった。
【００１０】
また、ベイヤー方式は、全画素読み出し、順次走査によって色再現よく高解像度で信号を得る特徴を持つが、通常のテレビジョンカメラはインターレース走査のため垂直方向の２画素が加算されてしまうため、実用性がない欠点があった。
【００１１】
本発明の目的は、単板式カラーカメラにおいてより解像度の高い輝度信号および色信号を得ることである。
本発明の前記ならびにその他の目的と新規な特徴は、本明細書の記述及び添付図面によって明らかになるであろう。
【００１２】
【課題を解決するための手段】
本願において開示される発明のうち、代表的なものの概要を簡単に説明すれば、下記のとおりである。
【００１３】
（１）行方向及び列方向に配列される変換素子にベイヤー方式の色フィルタアレイを配置した撮像装置において、前記ベイヤー方式の色フィルタアレイは、緑色の色フィルタが市松状に配置され、青色の色フィルタと赤色の色フィルタが残りの部分にそれぞれ市松状に配置されたものであり、前記各変換素子の色信号電荷を飛び越し走査の１フィールド期間で読み出す読み出し手段と、前記読み出し手段で読み出された色信号電荷をデジタルの色信号に変換する手段と、前記変換する手段でデジタルに変換された色信号を格納するフレームメモリと、前記フレームメモリに格納された色信号を、飛び越し走査の奇数フィールドでは、前記緑色の色フィルタに対応する緑色信号については、垂直方向２行分の市松状の緑色信号を水平方向１画素毎に交互に読み出し、前記青色の色フィルタに対応する青色信号については、前記垂直方向２行分の市松状の青色信号と赤色信号のうちの青色信号を水平方向１画素毎に２回繰り返し読み出し、前記赤色の色フィルタに対応する赤色信号については、前記垂直方向２行分の市松状の青色信号と赤色信号のうちの赤色信号を水平方向１画素毎に２回繰り返し読み出し、前記奇数フィールドの次の偶数フィールドでは、前記緑色の色フィルタに対応する緑色信号については、前記垂直方向２行分から１行だけずれた垂直方向２行分の市松状の緑色信号を水平方向１画素毎に交互に読み出し、前記青色の色フィルタに対応する青色信号については、前記垂直方向２行分から１行だけずれた垂直方向２行分の市松状の青色信号と赤色信号のうちの青色信号を２回繰り返し読み出し、前記赤色の色フィルタに対応する赤色信号については、前記垂直方向２行分から１行分だけずれた垂直方向２行分の市松状の青色信号と赤色信号のうちの赤色信号を水平方向１画素毎に２回繰り返し読み出し、飛び越し走査のタイミングで出力する出力手段と、を備える。
【００１４】
（２）行方向及び列方向に配列される変換素子にベイヤー方式の色フィルタアレイを配置した撮像装置を有するテレビカメラにおいて、前記ベイヤー方式の色フィルタアレイは、緑色の色フィルタが市松状に配置され、青色の色フィルタと赤色の色フィルタが残りの部分にそれぞれ市松状に配置されたものであり、前記撮像装置は、前記各変換素子の色信号電荷を飛び越し走査の１フィールド期間で読み出す読み出し手段と、前記読み出し手段で読み出された色信号電荷をデジタルの色信号に変換する手段と、前記変換する手段でデジタルに変換された色信号を格納するフレームメモリと、前記フレームメモリに格納された色信号を、飛び越し走査の奇数フィールドでは、前記緑色の色フィルタに対応する緑色信号については、垂直方向２行分の市松状の緑色信号を水平方向１画素毎に交互に読み出し、前記青色の色フィルタに対応する青色信号については、前記垂直方向２行分の市松状の青色信号と赤色信号のうちの青色信号を水平方向１画素毎に２回繰り返し読み出し、前記赤色の色フィルタに対応する赤色信号については、前記垂直方向２行分の市松状の青色信号と赤色信号のうちの赤色信号を水平方向１画素毎に２回繰り返し読み出し、前記奇数フィールドの次の偶数フィールドでは、前記緑色の色フィルタに対応する緑色信号については、前記垂直方向２行分から１行だけずれた垂直方向２行分の市松状の緑色信号を水平方向１画素毎に交互に読み出し、前記青色の色フィルタに対応する青色信号については、前記垂直方向２行分から１行だけずれた垂直方向２行分の市松状の青色信号と赤色信号のうちの青色信号を２回繰り返し読み出し、前記赤色の色フィルタに対応する赤色信号については、前記垂直方向２行分から１行分だけずれた垂直方向２行分の市松状の青色信号と赤色信号のうちの赤色信号を水平方向１画素毎に２回繰り返し読み出し、飛び越し走査のタイミングで出力する出力手段と、を備える。
【００１６】
【発明の実施の形態】
以下、本発明について、発明の実施の形態（実施例）とともに図面を参照して詳細に説明する。
なお、発明の実施の形態を説明するための全図において、同一機能を有するものは同一符号を付け、その繰り返しの説明は省略する。
【００１７】
（実施の形態１）
図１は本発明の実施の形態１の撮像装置の概略構成を説明するための図である。図１において、１０１はベイヤー方式（ベイヤー配列）の原色フィルタを用いた単板式ＣＣＤ素子、１０２はＡＤＣ、１０３はフレームメモリ、１０４はＤＡＣ、１０５はインターレースモニタ、１０６は順次走査駆動回路、１０７はインターレース走査タイミング発生回路を示す。
【００１８】
図１に示すように、実施の形態１の撮像装置は、周知のベイヤー方式（ベイヤー配列）の原色フィルタを用いた単板式ＣＣＤ素子１０１と、この単板式ＣＣＤ素子を周知の順次走査方式（ノンインターレース方式）で駆動する順次走査駆動回路１０６と、単板式ＣＣＤ素子１０１からの順次走査で出力される蓄積電荷信号をデジタル信号に変換する周知のＡＤＣ（アナログデジタル変換器）１０２と、このＡＤＣ１０２から出力されるデジタル信号を格納する周知のフレームメモリ１０３と、フレームメモリ１０３に格納される各色毎の信号の読み出しを飛び越し走査（インターレース）信号のタイミングで制御するインターレース走査タイミング発生回路１０７と、フレームメモリ１０３から出力されるインターレースタイミングの各色毎のデジタル信号をアナログ信号に変換する周知のＤＡＣ（デジタルアナログ変換器）１０４とから構成されており、実施の形態１の撮像装置から出力される色信号はインターレース方式の色信号に変換されて出力されることとなるので、ベイヤー方式（ベイヤー配列）の原色フィルタを用いた単板式ＣＣＤ素子の特徴である色再現性の良好な色信号を出力することができる。従って、ＤＡＣ１０４から出力されるインターレースタイミングの色信号は、従来のインターレース方式のモニタ１０５に表示させることができる。
【００１９】
すなわち、実施の形態１の撮像装置では、単板式ＣＣＤ素子１０１を順次走査方式で駆動することにより、各画素からの蓄積電荷信号を画素混合することなく全画素読み出し、この順次走査によって各画素から読み出された信号を、一旦フレームメモリ１０３上に保存し、このフレームメモリ１０３から各色信号毎に、インターレース信号のタイミングで色信号（画素データ）を出力するものである。
【００２０】
図２は実施の形態１の撮像装置に用いるベイヤー方式の原色フィルタアレイの配列の一例を示した図である。ただし、実施の形態１の撮像装置では、単板式カラー撮像方式における色フィルタアレイとして、色フィルタを市松状に配列したベイヤー方式を用いる。ただし、図２において、ｍ，ｎ，ｎ’は任意の奇数である。
【００２１】
図２から明らかなように、実施の形態１の撮像装置では、高解像度が必要な輝度信号の主成分であるＧで示す緑色のフィルタが市松状に配置され、他の色であるＢで示す青色のフィルタとＲで示す赤色のフィルタとが、残りの部分にそれぞれ市松状に配置される構成となっている。ただし、Ｂ及びＲのフィルタの配置は、水平方向及び垂直方向に対して、それぞれＧとＢ、あるいはＧとＲとのように、同じ色のフィルタが配列される構成となっている。
【００２２】
図３はフレームメモリからの色信号の読み出し動作を説明するための図である。ただし、図３の（ａ）は２次元メモリ（フレームメモリ１０３）上の画素配置を示す図であり、図３の（ｂ）は奇数フィールドの走査線時の緑色信号の読み出し位置を説明するための図であり、図３の（ｃ）は偶数フィールドの走査線時の緑色信号の読み出し位置を説明するための図であり、図３の（ｄ）は奇数フィールドの走査線時の青色信号の読み出し位置を説明するための図であり、図３の（ｅ）は偶数フィールドの走査線時の青色信号の読み出し位置を説明するための図であり、図３の（ｆ）は奇数フィールドの走査線時の赤色信号の読み出し位置を説明するための図であり、図３の（ｇ）は偶数フィールドの走査線時の赤色信号の読み出し位置を説明するための図である。ただし、図３に示すｍ，ｎ，ｎ’は、それぞれ図２に示すＣＣＤ素子のｍ，ｎ，ｎ’と同じである。また、以下の説明では、説明を簡単にするために、水平方向及び垂直方向に制御される画素の内で、水平方向に画素が４個、垂直方向に画素が５個配列される領域内の画素の場合について説明するが、単板式ＣＣＤ素子１０１の他の全ての画素及び色フィルタアレイについても同様となる。
【００２３】
以下、図３の（ａ）〜図３の（ｇ）に基づいて、緑色信号、青色信号、及び赤色信号の読み出し動作を説明する。
図３の（ｂ），（ｃ）に示すように、緑色信号の読み出しにおける、インターレースの奇数フィールドでは、垂直方向奇数番目（ｍ，ｍ＋２，ｍ＋４）の画素と偶数番目（ｍ＋１，ｍ＋３）の画素とを水平方向１画素毎に交互に読み出す。これにより、奇数フィールドのｎ番目の走査線からはＧ１，Ｇ２，Ｇ３，Ｇ４，・・・の信号が、その次のｎ＋１番目の走査線からはＧ５，Ｇ６，Ｇ７，Ｇ８，・・・の信号が得られる。
【００２４】
次の偶数フィールドでは、奇数番目（ｍ＋２，ｍ＋４）の画素と垂直方向偶数番目（ｍ＋１，ｍ＋３）の画素とを水平方向１画素毎に交互に読み出す。これにより、偶数フィールドのｎ’番目の走査線からはＧ５，Ｇ２，Ｇ７，Ｇ４の信号が、その次のｎ＋１’番目の走査線からはＧ９，Ｇ６，Ｇ１１，Ｇ８の信号が得られる。
【００２５】
従って、インターレースの奇数フィールドにおける色信号（Ｇ信号）の出力では、図３の（ｂ）に示すように、奇数フィールドのｎ番目の走査線の場合には、ｍもしくはｍ＋１行目の画素の緑色信号であるＧ１，Ｇ２，Ｇ３，Ｇ４の信号がそれぞれ出力される。同様に、奇数フィールドのｎ＋１番目の走査線の場合には、ｍ＋２もしくはｍ＋３行目の画素の緑色信号であるＧ５，Ｇ６，Ｇ７，Ｇ８の信号がそれぞれ出力される。
【００２６】
また、偶数フィールドのそれぞれの走査線での色信号の出力では、図３の（ｃ）に示すように、偶数フィールドのｎ’番目の走査線の場合には、ｍ＋１もしくはｍ＋２行目の画素の緑色信号であるＧ５，Ｇ２，Ｇ７，Ｇ４の信号がそれぞれ出力される。同様に、偶数フィールドのｎ’＋１番目の走査線の場合には、ｍ＋３もしくはｍ＋４行目の画素の緑色信号であるＧ９，Ｇ６，Ｇ１１，Ｇ８の信号がそれぞれ出力される。
【００２７】
このとき、実施の形態１の撮像装置では、得られた緑色信号の解像度は水平方向は画素ピッチに等しく、垂直方向にはインターレースによる垂直２画素混合のピッチに等しいこととなるので、解像度の高い色信号を得ることができる。
【００２８】
図３の（ｄ），（ｅ）に示すように、青色信号の読み出しにおける、インターレースの奇数フィールドでは、垂直方向偶数番目（ｍ＋１，ｍ＋３）の画素を水平方向１画素毎に２回繰り返して読み出す。これにより、奇数フィールドのｎ番目の走査線からはＢ１，Ｂ１，Ｂ２，Ｂ２の信号が、その次のｎ＋１番目の走査線からはＢ３，Ｂ３，Ｂ４，Ｂ４の信号が得られる。
【００２９】
次の偶数フィールドでは、垂直方向偶数番目（ｍ＋１，ｍ＋３）の画素を水平方向１画素毎に２回繰り返して読み出す。これにより、偶数フィールドのｎ’番目の走査線からはＢ１，Ｂ１，Ｂ２，Ｂ２の信号が、その次のｎ＋１’番目の走査線からはＢ３，Ｂ３，Ｂ４，Ｂ４の信号が得られる。
【００３０】
従って、インターレースの奇数フィールドにおける色信号（Ｂ信号）の出力では、図３の（ｄ）に示すように、奇数フィールドのｎ番目の走査線の場合には、ｍ＋１行目の画素の青色信号であるＢ１，Ｂ２の信号がそれぞれ出力される。同様に、奇数フィールドのｎ＋１番目の走査線の場合には、ｍ＋３行目の画素の青色信号であるＢ３，Ｂ４の信号がそれぞれ出力される。
【００３１】
また、偶数フィールドのそれぞれの走査線での色信号の出力では、図３の（ｅ）に示すように、偶数フィールドのｎ’番目の走査線の場合には、ｍ＋１行目の画素の青色信号であるＢ１，Ｂ２の信号がそれぞれ出力される。同様に、偶数フィールドのｎ’＋１番目の走査線の場合には、ｍ＋３行目の画素の青色信号であるＢ３，Ｂ４の信号がそれぞれ出力される。
【００３２】
このとき、実施の形態１の撮像装置では、得られた青色信号の解像度は水平方向は画素ピッチ２列分に等しく、垂直方向にはインターレースによる垂直２画素混合のピッチに等しいこととなるので、解像度の高い色信号を得ることができる。
【００３３】
図３の（ｆ），（ｇ）に示すように、赤色信号の読み出しにおける、インターレースの奇数フィールドでは、垂直方向奇数番目（ｍ，ｍ＋２）の画素を水平方向１画素毎に２回繰り返して読み出す。これにより、奇数フィールドのｎ番目の走査線からはＲ１，Ｒ１，Ｒ２，Ｒ２の信号が、その次のｎ＋１番目の走査線からはＲ３，Ｒ３，Ｒ４，Ｒ４の信号が得られる。
【００３４】
次の、偶数フィールドでは、垂直方向奇数番目（ｍ＋２，ｍ＋４）の画素を水平方向１画素毎に２回繰り返して読み出す。これにより、偶数フィールドのｎ’番目の走査線からはＲ３，Ｒ３，Ｒ４，Ｒ４の信号が、その次のｎ＋１’番目の走査線からはＲ５，Ｒ５，Ｒ６，Ｒ６の信号が得られる。
【００３５】
従って、インターレースの奇数フィールドにおける色信号（Ｒ信号）の出力では、図３の（ｆ）に示すように、奇数フィールドのｎ番目の走査線の場合には、ｍ行目の画素の赤色信号であるＲ１，Ｒ２の信号がそれぞれ出力される。同様に、奇数フィールドのｎ＋１番目の走査線の場合には、ｍ＋２行目の画素の赤色信号であるＲ３，Ｒ４の信号がそれぞれ出力される。
【００３６】
また、偶数フィールドのそれぞれの走査線での色信号の出力では、図３の（ｇ）に示すように、偶数フィールドのｎ’番目の走査線の場合には、ｍ＋２行目の画素の赤色信号であるＲ３，Ｒ４の信号がそれぞれ出力される。同様に、偶数フィールドのｎ’＋１番目の走査線の場合には、ｍ＋４行目の画素の赤色信号であるＲ５，Ｒ６の信号がそれぞれ出力される。
【００３７】
このとき、実施の形態１の撮像装置では、得られた赤色信号の解像度は水平方向は画素ピッチ２列分に等しく、垂直方向にはインターレースによる垂直２画素混合のピッチに等しいこととなるので、解像度の高い色信号を得ることができる。
【００３８】
以上の動作をおこなうことにより、緑色信号についてはＣＣＤ素子１０１における水平方向１画素垂直方向２画素毎に色信号が出力され、青色信号と赤色信号については撮像装置における水平方向２画素垂直方向２画素毎に色信号が出力されていることになる。従って、インターレース信号に変換して出力する場合、垂直方向に関しては１ライン毎に色情報が分離できる。また、水平方向については緑色信号は１画素毎に、青色および赤色信号は２画素毎に色情報が分離できる。
【００３９】
さらに、輝度信号について考える。各色信号から輝度信号Ｙを合成する場合、Ｙ＝Ｒ＋２Ｇ＋Ｂの式に従って算出できる。
例えば、インターレースの奇数フィールドでは、ｎ番目の走査線からは、下記に示す数１によって算出される輝度信号Ｙ１、Ｙ２、Ｙ３、Ｙ４がそれぞれ得られる。
【００４０】
【数１】
Ｙ１＝Ｒ１＋２×Ｇ１＋Ｂ１
Ｙ２＝Ｒ１＋２×Ｇ２＋Ｂ１
Ｙ３＝Ｒ２＋２×Ｇ３＋Ｂ２
Ｙ４＝Ｒ２＋２×Ｇ４＋Ｂ２
【００４１】
このとき、水平に隣り合う２画素の輝度信号Ｙ１とＹ２、またＹ３とＹ４、はそれぞれ青色、赤色信号は同じものを使用しているが、緑色信号は異なるものを使用している。輝度信号に対する各色信号の寄与度は緑色が多いため、水平方向に対しても輝度信号の解像度は青色信号や赤色信号が持つ単チャンネル分の解像度よりも高くなる。従って、解像度の高い輝度信号を得ることができる。
【００４２】
以上説明したように、実施の形態１の撮像装置では、読み出し手段として機能する順次走査駆動回路１０６がインターレース走査タイミング発生回路１０７からのタイミング出力に基づいて、ＣＣＤ素子１０１の全画素（全変換素子）から１フィールド期間で信号電荷を読み出し、この読み出された信号電荷をＡＤＣ１０２でデジタル信号に変換した後にフレームメモリ１０３に格納し、このフレームメモリ１０３に格納されたデジタルの信号を読み出す際に、インターレース走査タイミング発生回路１０７からの制御信号に基づいて飛び越し走査のタイミングで色フィルタの色に対応した信号を読み出し、この読み出された信号をＤＡＣ１０４でアナログ信号に変換して出力する構成となっている、すなわち行方向及び列方向に配列される変換素子に色フィルタを市松状に配列したベイヤー方式の撮像装置であっても、各変換素子の信号電荷を加算することなく変換素子毎に読み出し、この読み出した信号電荷を信号処理することにより、飛び越し走査で出力することができるので、色再現よく高解像度の色信号及び輝度信号を得ることができる。
【００４３】
（実施の形態２）
図４は本発明の実施の形態２の撮像装置の概略構成を説明するための図である。
ただし、実施の形態２の撮像装置は、フレームメモリ４０１と補正処理手段４０２との構成が異なるのみで、他の構成は実施の形態１の撮像装置と同様となるので、以下の説明ではフレームメモリ４０１と補正処理手段４０２について詳細に説明する。
【００４４】
図４に示すように、実施の形態２のＡＤＣ１０２から出力されるデジタル信号を格納するフレームメモリ４０１と、このフレームメモリ４０１から読み出されるデジタル信号に対して予め設定された平均化処理あるいは補間処理を行う補正処理手段４０２とを有する構成となっている。
【００４５】
すなわち、実施の形態２の撮像装置では、インターレース走査タイミング発生回路１０７の制御によりフレームメモリ４０１から読み出される色信号に応じて、補正処理手段４０２が平均化処理と補間処理との何れかの処理を選択し、その選択された処理を行う構成となっている。ただし、後述するように、実施の形態２の撮像装置では、例えば単板式ＣＣＤ素子１０１の画素ピッチと等しい周期の縞模様の画像が入力された場合等における偽信号の発生を防止するため、緑色信号に対する平均化処理を行う。また、緑色に対して割り当て画素数の少ない青色及び赤色に対して、解像度の向上のための補間処理を行うものである。
【００４６】
なお、フレームメモリ４０１から補正処理手段４０２を介して直接出力される色信号、及び補正処理手段４０２からの補正後の色信号の出力タイミングは、インターレース走査タイミング発生回路１０７の制御による走査タイミングとなるように、周知の技術により制御されることはいうまでもない。
【００４７】
図５は実施の形態２の撮像装置におけるフレームメモリからの緑色信号の読み出し動作を説明するための図である。ただし、図５の（ａ）は奇数フィールドの走査線時における緑色信号の読み出し位置を説明するための図であり、図５の（ｂ）は奇数フィールドの走査線時における緑色信号の平均化処理後の読み出し位置を説明するための図である。また、図５の（ｃ）は偶数フィールドの走査線時における緑色信号の読み出し位置を説明するための図であり、図５の（ｄ）は偶数フィールドの走査線時における緑色信号の平均化処理後の読み出し位置を説明するための図である。ただし、図５に示すｍ，ｎ，ｎ’は、前述する図２に示す単板式ＣＣＤ素子１０１のｍ，ｎ，ｎ’と同じである。
【００４８】
以下、図５の（ａ）〜図５の（ｄ）に基づいて、緑色信号に対する補正処理手段４０２による平均化処理について説明する。
図５の（ａ），（ｂ）に示すように、緑色信号をフレームメモリ４０１から読み出す場合、２次元メモリ上に左右方向に位置する色信号を用いた平均化処理を行った例である。
【００４９】
インターレースの奇数フィールドのｎ番目の走査線に対する緑色信号の読み出しでは、実施の形態１と同様に、フレームメモリ４０１から読み出し対象となる垂直方向のｍ番目とｍ＋１番目の画素Ｇ１，Ｇ２，Ｇ３，Ｇ４，・・・の緑色信号が交互に読み出され、補正処理手段４０２に入力される。同様にして、奇数フィールドのｎ＋１番目の走査線に対する緑色信号の読み出しでは、読み出し対象となる垂直方向のｍ＋２番目とｍ＋３番目の画素Ｇ５，Ｇ６，Ｇ７，Ｇ８，・・・の緑色信号が交互に読み出され、補正処理手段４０２に入力される。
【００５０】
ここで、補正処理手段４０２は、図５の（ｂ）に示すように、水平方向の３画素分の色信号から読み出し対象となる画素に対する色信号を得る構成となっている。すなわち、補正処理手段４０２は、読み出し対象となる画素の色信号と、この画素の前後に読み出される画素の色信号とに重み付けを行った平均化処理によって、読み出し対象となる画素に対する色信号を得る構成となっている。
【００５１】
例えば、補正処理手段４０２は、読み出し対象となる画素がＧ２の場合には、この読み出し対象となるＧ２の色信号に対して、Ｇ２の前後の画素であるＧ１とＧ３との色信号に対するＧ１：Ｇ２：Ｇ３＝１：２：１の重み付けを行った後に、平均化処理を行う構成となっている。従って、読み出し対象となるＧ２に対応する平均化処理後の色信号をｇ２とした場合には、ｇ２は下記の式１となる。
【００５２】
【数２】
ｇ２＝（Ｇ１＋２×Ｇ２＋Ｇ３）／４    ・・・・・（式１）
また、読み出し対象となる画素がＧ３の場合には、読み出し対象となるＧ３に対応する平均化処理後の色信号をｇ３とすると、ｇ３は下記の式２となる。
【００５３】
【数３】
ｇ３＝（Ｇ２＋２×Ｇ３＋Ｇ４）／４    ・・・・・（式２）
同様にして、インターレースの奇数フィールドのｎ＋１番目の走査線に対する緑色信号の読み出しにおいて、読み出し対象となる画素がＧ６，Ｇ７の場合には、読み出し対象となるＧ６，Ｇ７に対応する平均化処理後の色信号をそれぞれｇ６，ｇ７とすると、ｇ６，ｇ７はそれぞれ下記の式３，式４となる。
【００５４】
【数４】
ｇ６＝（Ｇ５＋２×Ｇ６＋Ｇ７）／４    ・・・・・（式３）
ｇ７＝（Ｇ６＋２×Ｇ７＋Ｇ８）／４    ・・・・・（式４）
このとき、ｎ，ｎ＋１番目の走査線毎の読み出し開始時及び読み出し終了時の色信号は、それぞれ読み出し対象となる画素（Ｇ１，Ｇ４及びＧ５，Ｇ６）の色信号としている。
【００５５】
また、図５の（ｃ），（ｄ）に示すように、インターレースの偶数フィールドのｎ’番目の走査線に対する緑色信号の読み出しでは、読み出し対象となる垂直方向のｍ＋１番目とｍ＋２番目の画素Ｇ５，Ｇ２，Ｇ７，Ｇ４，・・・の緑色信号が交互に読み出され、補正処理手段４０２に入力される。同様にして、偶数フィールドのｎ’＋１番目の走査線に対する緑色信号の読み出しでは、読み出し対象となる垂直方向のｍ＋３番目とｍ＋４番目の画素Ｇ９，Ｇ６，Ｇ１１，Ｇ８，・・・の緑色信号が交互に読み出され、補正処理手段４０２に入力される。
【００５６】
従って、補正処理手段４０２は、読み出し対象となる画素がＧ２の場合には、この読み出し対象となるＧ２の色信号に対して、Ｇ２の前後の画素であるＧ５とＧ７との色信号に対するＧ５：Ｇ２：Ｇ７＝１：２：１の重み付けを行った後に、平均化処理を行う構成となっている。従って、読み出し対象となるＧ２に対応する平均化処理後の色信号をｇ’２とした場合には、ｇ’２は下記の式５となる。
【００５７】
【数５】
ｇ’２＝（Ｇ５＋２×Ｇ２＋Ｇ７）／４    ・・・・・（式５）
また、読み出し対象となる画素がＧ７の場合には、読み出し対象となるＧ７に対応する平均化処理後の色信号をｇ’３とすると、ｇ’３は下記の式６となる。
【００５８】
【数６】
ｇ’３＝（Ｇ２＋２×Ｇ７＋Ｇ４）／４    ・・・・・（式６）
同様にして、インターレースの偶数フィールドのｎ’＋１番目の走査線に対する緑色信号の読み出しにおいて、読み出し対象となる画素がＧ６，Ｇ１１の場合には、読み出し対象となるＧ６，Ｇ１１に対応する平均化処理後の色信号をそれぞれｇ’６，ｇ’７とすると、ｇ’６，ｇ’７はそれぞれ下記の式７，式８となる。
【００５９】
【数７】
ｇ’６＝（Ｇ９＋２×Ｇ６＋Ｇ１１）／４    ・・・・・（式７）
ｇ’７＝（Ｇ６＋２×Ｇ１１＋Ｇ８）／４    ・・・・・（式８）
このとき、ｎ’，ｎ’＋１番目の走査線毎の読み出し開始時及び読み出し終了時の色信号は、それぞれ読み出し対象となる画素（Ｇ５，Ｇ４及びＧ９，Ｇ８）の色信号としている。
このように、補正処理手段４０２による平均化処理はＣＣＤ素子１０１の画素の水平方向にデジタルローパスフィルタ処理を行ったことと同じとなる。
【００６０】
以上説明したように、補正処理手段４０２では、オンチップ色フィルターとしてベイヤー配列を採用するＣＣＤ素子１０１から、緑色信号を読み出す際に問題となる１画素おきにその空間的なサンプル位置が上下するという現象を、読み出し対象とする画素の色信号と、この画素に前後して読み出されることとなる画素の色信号との平均化処理によって補正する構成となっている。その結果、例えば垂直方向に画素ピッチと等しい周期、すなわち垂直ナイキスト周波数の横縞模様等の画像がＣＣＤ素子１０１に入力された場合であっても、水平方向に１画素毎に白黒の信号が出力され横縞が縦縞に折り返った偽信号となってしまうという現象を防止することが可能となる。
【００６１】
図６は実施の形態２の撮像装置におけるフレームメモリからの青色信号の読み出し動作を説明するための図である。ただし、図６の（ａ）は奇数フィールドの走査線時における緑色信号の読み出し位置を説明するための図であり、図６の（ｂ）は奇数フィールドの走査線時における青色信号の補間処理後の読み出し位置を説明するための図である。また、図６の（ｃ）は偶数フィールドの走査線時における青色信号の読み出し位置を説明するための図であり、図６の（ｄ）は偶数フィールドの走査線時における青色信号の補間処理後の読み出し位置を説明するための図である。
【００６２】
以下、図６の（ａ）〜図６の（ｄ）に基づいて、青色信号に対する補正処理手段４０２による補間処理について説明する。
図６の（ａ）に示すように、インターレースの奇数フィールドのｎ番目の走査線に対する青色信号の読み出しでは、実施の形態１と同様に、フレームメモリ４０１から読み出し対象となる垂直方向のｍ＋１番目の画素Ｂ１，Ｂ２，Ｂ１３，・・・の青色信号が２回ずつ読み出され、Ｂ１，Ｂ１，Ｂ２，Ｂ２，・・・のようにして補正処理手段４０２に入力される。同様にして、奇数フィールドのｎ＋１番目の走査線に対する青色信号の読み出しでは、読み出し対象となる垂直方向のｍ＋３番目の画素Ｂ３，Ｂ４，Ｂ２３，・・・の青色信号が２回ずつ読み出され、Ｂ３，Ｂ３，Ｂ４，Ｂ４，・・・のようにして補正処理手段４０２に入力される。
【００６３】
ここで、補正処理手段４０２は、図６の（ｂ）に示すように、２回ずつ読み出された青色信号の内、１回目に読み出された青色信号はそのまま後段のＤＡＣ１０４に出力する構成となっている。一方、２回目に読み出された青色信号に対しては、次に読み出される１回目の青色信号とから補間された値を青色信号として出力する構成となっている。
【００６４】
すなわち、奇数フィールドのｎ番目の走査線に対する青色信号の補間処理では、まず、補正処理手段４０２は垂直方向のｍ＋１番目の画素Ｂ１の青色信号を出力する。次に、この画素Ｂ１の青色信号と水平方向に隣接することになる画素Ｂ２の青色信号とから補間された値ｂ１を出力する。次に、補正処理手段４０２は次の画素としてＢ２の青色信号を出力し、この後にこのＢ２の青色信号とＢ２に隣接する図示しない画素の青色信号とから補間された値ｂ２を出力する。補正処理手段４０２は、以上に示す補間処理を順次行うことによって、奇数フィールドのｎ番目の走査線に対する青色信号を次段のＤＡＣ１０４に出力する。
【００６５】
同様に、奇数フィールドのｎ＋１番目の走査線に対する青色信号の補間処理においても、Ｂ３、補間された値ｂ３、Ｂ４、補間された値ｂ４、・・・を順次演算し、次段のＤＡＣ１０４に出力する。
【００６６】
さらに、偶数フィールドのｎ’番目の走査線に対する青色信号の補間処理においては、Ｂ１、補間された値ｂ’１、Ｂ２、補間された値ｂ’２、・・・が補正処理手段４０２により順次演算され、次段のＤＡＣ１０４に出力される。偶数フィールドのｎ’＋１番目の走査線に対する青色信号の補間処理においても、Ｂ３、補間された値ｂ’３、Ｂ４、補間された値ｂ’４、・・・が補正処理手段４０２により順次演算され、次段のＤＡＣ１０４に出力される。
【００６７】
ただし、青色信号に対する補間処理としては、例えばフレームメモリ４０１から２回ずつ入力される青色信号の内で２回目に入力される青色信号と、次の画素の信号として入力される青色信号とを１：１で重み付けした値ｂ１，ｂ２，・・・として得るものである。例えば、補間処理により得られる画素ｂ１の値は、その画素（ｂ１）の左の画素Ｂ１の青色信号の１／２と、その画素（ｂ１）の右の画素Ｂ２の青色信号の１／２とを用い、それぞれを加算して画素ｂ１の青色信号を生成するものである。従って、補間処理により得られる値ｂ１，ｂ２，・・・は、下記の式９〜式１６となる。
【００６８】
【数８】
ｂ１＝（Ｂ１＋Ｂ２）／２                  ・・・・・（式９）
ｂ２＝（Ｂ２＋（Ｂ１３））／２            ・・・・・（式１０）
ｂ３＝（Ｂ３＋Ｂ４）／２                  ・・・・・（式１１）
ｂ４＝（Ｂ４＋（Ｂ２３））／２            ・・・・・（式１２）
ｂ’１＝（Ｂ１＋Ｂ２）／２                ・・・・・（式１３）
ｂ’２＝（Ｂ２＋（Ｂ１３））／２          ・・・・・（式１４）
ｂ’３＝（Ｂ３＋Ｂ４）／２                ・・・・・（式１５）
ｂ’４＝（Ｂ４＋（Ｂ２３））／２          ・・・・・（式１６）
【００６９】
このようにして補間により得られた信号ｂ１，ｂ２，・・・は、フレームメモリ４０１から２度ずつ読み出される内の２度目の信号に代わり出力されることとなり、青色信号の水平方向の解像度を画素ピッチに等しくできるので、さらに解像度の高い青色信号を得ることができる。例えば、補間により得られた信号ｂ１は、ＣＣＤ素子１０１で実際に計測されたＢ１とＢ２との間（水平方向）の画素の信号を空間的に補間したものとなるので、青色信号の水平方向の解像度を向上させることが可能となる。
【００７０】
図７は実施の形態２の撮像装置におけるフレームメモリからの赤色信号の読み出し動作を説明するための図である。ただし、図７の（ａ）は奇数フィールドの走査線時における赤色信号の読み出し位置を説明するための図であり、図７の（ｂ）は奇数フィールドの走査線時における赤色信号の補間処理後の読み出し位置を説明するための図である。また、図７の（ｃ）は偶数フィールドの走査線時における赤色信号の読み出し位置を説明するための図であり、図７の（ｄ）は偶数フィールドの走査線時における赤色信号の補間処理後の読み出し位置を説明するための図である。
【００７１】
以下、図７の（ａ）〜図７の（ｄ）に基づいて、赤色信号に対する補正処理手段４０２による補間処理について説明する。
図７の（ａ）に示すように、インターレースの奇数フィールドのｎ番目の走査線に対する赤色信号の読み出しでは、実施の形態１と同様に、フレームメモリ４０１から読み出し対象となる垂直方向のｍ番目の画素Ｒ１，Ｒ２，Ｒ１３，・・・の赤色信号が２回ずつ読み出され、Ｒ１，Ｒ１，Ｒ２，Ｒ２，・・・のようにして補正処理手段４０２に入力される。同様にして、奇数フィールドのｎ＋１番目の走査線に対する赤色信号の読み出しでは、読み出し対象となる垂直方向のｍ＋２番目の画素Ｒ３，Ｒ４，Ｒ２３，・・・の赤色信号が２回ずつ読み出され、Ｒ３，Ｒ３，Ｒ４，Ｒ４，・・・のようにして補正処理手段４０２に入力される。
【００７２】
ここで、補正処理手段４０２は、図７の（ｂ）に示すように、２回ずつ読み出された赤色信号の内で、１回目に読み出された赤色信号はそのまま後段のＤＡＣ１０４に出力する構成となっている。一方、２回目に読み出された赤色信号に対しては、次に読み出される１回目の赤色信号とから補間された値を赤色信号として出力する構成となっている。
【００７３】
すなわち、奇数フィールドのｎ番目の走査線に対する赤色信号の補間処理では、まず、補正処理手段４０２は垂直方向のｍ番目の画素Ｒ１の赤色信号を出力する。次に、この画素Ｒ１の赤色信号と水平方向に隣接することになる画素Ｒ２の赤色信号とから補間された値ｒ１を出力する。次に、補正処理手段４０２は次の画素としてＲ２の赤色信号を出力し、この後にこのＲ２の赤色信号とＲ２に隣接する図示しない画素Ｒ１３の赤色信号とから補間された値ｒ２を出力する。補正処理手段４０２は、以上に示す補間処理を順次行うことによって、奇数フィールドのｎ番目の走査線に対する赤色信号を次段のＤＡＣ１０４に出力する。
【００７４】
また、奇数フィールドのｎ＋１番目の走査線に対する赤色信号の補間処理においても同様にして、Ｒ３、補間された値ｒ３、Ｒ４、補間された値ｒ４、・・・を順次演算し、次段のＤＡＣ１０４に出力する。
【００７５】
同様にして、偶数フィールドのｎ’番目の走査線に対する赤色信号の補間処理においては、Ｒ３、補間された値ｒ’３、Ｒ４、補間された値ｒ’４、・・・が補正処理手段４０２により順次演算され、次段のＤＡＣ１０４に出力される。また、偶数フィールドのｎ’＋１番目の走査線に対する赤色信号の補間処理においても、Ｒ３、補間された値ｒ’３、Ｒ４、補間された値ｒ’４、・・・が補正処理手段４０２により順次演算され、次段のＤＡＣ１０４に出力される。
【００７６】
ただし、赤色信号に対する補間処理としては、前述の青色信号と同様に、例えばフレームメモリ４０１から２回ずつ入力される赤色信号の内で２回目に入力される赤色信号と、次の画素の信号として入力される赤色信号とを１：１で重み付けした値ｒ１，ｒ２，・・・として得るものである。例えば、補間処理により得られる画素ｒ１の値は、その画素（ｒ１）の左の画素Ｒ１の赤色信号の１／２と、その画素（ｒ１）の右の画素Ｒ２の赤色信号の１／２とを用い、それぞれを加算して画素ｒ１の赤色信号を生成するものである。従って、補間処理により得られる値として、例えばｒ１〜ｒ４及びｒ’３〜ｒ’６は下記の式１７〜式２４となる。
【００７７】
【数９】
ｒ１＝（Ｒ１＋Ｒ２）／２                  ・・・・・（式１７）
ｒ２＝（Ｒ２＋（Ｒ１３））／２            ・・・・・（式１８）
ｒ３＝（Ｒ３＋Ｒ４）／２                  ・・・・・（式１９）
ｒ４＝（Ｒ４＋（Ｒ２３））／２            ・・・・・（式２０）
ｒ’３＝（Ｒ３＋Ｒ４）／２                ・・・・・（式２１）
ｒ’４＝（Ｒ４＋（Ｒ２３））／２          ・・・・・（式２２）
ｒ’５＝（Ｒ５＋Ｒ６）／２                ・・・・・（式２３）
ｒ’６＝（Ｒ６＋（Ｒ７１））／２          ・・・・・（式２４）
【００７８】
このようにして補間により得られた信号ｒ１，ｒ２，・・・は、フレームメモリ４０１から２度ずつ読み出される内の２度目の信号に代わり出力されることとなり、赤色信号の水平方向の解像度を画素ピッチに等しくできるので、さらに解像度の高い赤色信号を得ることができる。例えば、補間により得られた信号ｒ１は、ＣＣＤ素子１０１で実際に計測されたＲ１とＲ２との間（水平方向）の画素の信号を空間的に補間したものとなるので、赤色信号の水平方向の解像度を向上させることが可能となる。
【００７９】
なお、実施の形態２では、フレームメモリ４０１において、２次元メモリ上の左右もしくは上下またはその両方向に位置する画素データを用いて平均化処理や補間処理を行ってもよいことはいうまでもない。
【００８０】
また、実施の形態２では、読み出し対象となる画素の色信号と、この画素の前後に読み出される１もしくは２つの画素の色信号とで重み付けをした平均化処理を行い、読み出し対象となる画素に対応する色信号を得る構成としたが、これに限定されることはなく、上下、左右の任意の２以上の画素の色信号から補間処理により読み出し対象となる画素に対応する色信号を得る構成でもよいことはいうまでもない。
さらには、重み付けの割合についても、任意の割合でよいことはいうまでもない。
【００８１】
以上、本発明者によってなされた発明を、前記発明の実施の形態に基づき具体的に説明したが、本発明は、前記発明の実施の形態に限定されるものではなく、その要旨を逸脱しない範囲において種々変更可能であることは勿論である。
【００８２】
【発明の効果】
本願において開示される発明のうち代表的なものによって得られる効果を簡単に説明すれば、下記の通りである。
（１）行方向及び列方向に配列される変換素子に色フィルタを市松状に配列したベイヤー方式の撮像装置であっても、各変換素子の信号電荷を加算することなく変換素子毎に読み出し、この読み出した信号電荷を信号処理することにより、飛び越し走査で出力することができるので、色再現よく高解像度の色信号及び輝度信号を得ることができる。
【００８３】
（２）オンチップ色フィルターとしてベイヤー配列を採用するＣＣＤ素子から緑色信号を読み出す際に問題となる、１画素おきにその空間的なサンプル位置が上下するという現象を、読み出し対象とする画素の色信号と、この画素に前後して読み出されることとなる画素の色信号との平均化処理によって補正する構成となっているので、例えば垂直方向に画素ピッチと等しい周期、すなわち垂直ナイキスト周波数の横縞模様等の画像がＣＣＤ素子に入力された場合であっても、水平方向に１画素毎に白黒の信号が出力され横縞が縦縞に折り返った偽信号となってしまうという現象を防止することができる。
【００８４】
（３）補間により得られた青色信号及び／又は赤色信号は、フレームメモリから２度ずつ読み出される内の２度目の信号に代わり出力されることとなり、青色信号及び／又は赤色信号の水平方向の解像度を画素ピッチに等しくできるので、さらに解像度の高い青色信号及び／又は赤色信号を得ることができる。
【図面の簡単な説明】
【図１】本発明の実施の形態１の撮像装置の概略構成を説明するための図である。
【図２】実施の形態１の撮像装置に用いるベイヤー方式の原色フィルタアレイの配列の一例を示した図である。
【図３】実施の形態１の撮像装置におけるフレームメモリからの色信号の読み出し動作を説明するための図である。
【図４】本発明の実施の形態２の撮像装置の概略構成を説明するための図である。
【図５】実施の形態２の撮像装置におけるフレームメモリからの緑色信号の読み出し動作を説明するための図である。
【図６】実施の形態２の撮像装置におけるフレームメモリからの青色信号の読み出し動作を説明するための図である。
【図７】実施の形態２の撮像装置におけるフレームメモリからの赤色信号の読み出し動作を説明するための図である。
【図８】従来の色差線順次方式の単板式のＣＣＤ素子における色フィルタアレイの配列を説明するための図である。
【符号の説明】
１０１…単板式ＣＣＤ素子            １０２…ＡＤＣ
１０３…フレームメモリ              １０４…ＤＡＣ
１０５…インターレースモニタ        １０６…順次走査駆動回路
１０７…インターレース走査タイミング発生回路
４０１…フレームメモリ              ４０２…補正処理手段
【図１】
0004334788.tif 000002
【図２】
0004334788.tif 000003
【図３】
0004334788.tif 000004
【図４】
0004334788.tif 000005
【図５】
0004334788.tif 000006
【図６】
0004334788.tif 000007
【図７】
0004334788.tif 000008
【図８】
0004334788.tif 000009